(57)【要約】【課題】ＬＶＤＳ方式を採用したＦＰＤにおいては、２本の信号線の間に配した終端抵抗において電力が消費される。そこで、低消費電力化を達成した放射線画像検出装置を提供する。【解決手段】終端抵抗に直列にスイッチング素子を設け、読出回路６０８が電荷電圧変換動作を実施しない期間は、スイッチング素子６８４をＯＦＦにし、終端抵抗６８３で電力消費が発生しないようにするので、放射線画像検出装置の低消費電力化を達成することができる。【選択図】図４
2010057004.tif 000002
【特許請求の範囲】
【請求項１】
照射された放射線量に応じたエネルギーを電荷量に変換して蓄積する複数の検出素子をマトリクス状に配置した撮像パネルと、
前記検出素子に対して電荷の読み出し信号を送る走査駆動回路と、
前記検出素子に蓄積された電荷を読み出して電圧値に変換する電荷電圧変換動作を行う読出回路と、
前記読出回路が前記電荷電圧変換動作を行って変換した電圧値を、デジタル変換して画像信号とするデジタル変換動作を行うＡ／Ｄ変換部と、
制御信号線を介して、前記走査駆動回路、前記Ａ／Ｄ変換部及び前記読出回路を制御する制御部と、
を有する放射線画像検出装置であって、
前記読出回路と前記制御部とを結ぶ制御信号線は、互いに逆相の信号からなる差動信号を伝達する２本の信号線からなり、
インピーダンス素子と、前記制御部が制御可能なスイッチング素子と、を直列に配してなり、前記２本の信号線の間を繋ぐインピーダンス整合手段と、
前記２本の信号線の間に所定の電位差を付与する電位差付与手段と、
を有し、
前記制御部は、
前記読出回路に対する制御が不要な場合には、前記スイッチング素子をＯＦＦにすることを特徴とする放射線画像検出装置。
【請求項２】
前記制御部は、
前記読出回路に対する制御が不要な場合であって、前記Ａ／Ｄ変換部に対する制御を要している場合には、前記スイッチング素子をＯＦＦにし、
前記読出回路に対して制御を要している場合には、前記スイッチング素子をＯＮにすることを特徴とする請求項１記載の放射線画像検出装置。
【発明の詳細な説明】
【技術分野】
【０００１】
本発明は、被検体を透過した放射線を検出する放射線画像検出装置であるＦＰＤ（Ｆｌａｔ  Ｐａｎｅｌ  Ｄｅｔｅｃｔｏｒ）に関し、特に低消費電力化されたＦＰＤに関する。
【背景技術】
【０００２】
被検体に放射線を照射し、被検体を透過した放射線を検出して放射線画像を得る方法としては、近年、デジタル方式の放射線画像検出装置が用いられている。このような放射線画像検出装置としては、いわゆるＦＰＤがある。
【０００３】
ＦＰＤとは、基板上に複数の検出素子を２次元的に配列したものであり、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものである。
【０００４】
シンチレータにおける発光量は非常に微弱であるため、検出素子で変換された電荷の量も小さい。そのため、検出素子を制御する制御用の電気回路等の各電気回路の間で発生する電気的なノイズへの対策が必要である。ノイズ対策の一例として、電気回路間の制御信号線に、２本の制御信号線を用いて互いに逆相の信号を伝達させてノイズを相殺するＬＶＤＳ（Ｌｏｗ  Ｖｏｌｔａｇｅ  Ｄｉｆｆｅｒｅｎｔｉａｌ  Ｓｉｇｎａｌｉｎｇ）方式が提案されている（特許文献１参照）。ＬＶＤＳ方式を用いるとノイズを低減することができる。
【特許文献１】特開２００６−１１２８０３号公報
【発明の開示】
【発明が解決しようとする課題】
【０００５】
ＬＶＤＳ方式を用いるとノイズを低減することはできるが、２本の制御信号線の間に配したインピーダンス整合手段である終端抵抗において電力が消費される。
【０００６】
ＦＰＤにおいては、病院等内において使用者が随意に持ち運びできるようにバッテリーを搭載した可搬型のものが知られている。ＦＰＤの使用は、バッテリーに充電された電力内に限られ、ＬＶＤＳ方式の使用により、ＦＰＤが使用できる時間は短くなる。そのために、１回のバッテリーの充電で使用者がＦＰＤを使用できる時間を伸ばせるようにするため、ＦＰＤを低消費電力化したいという要求が増えている。そこで、本発明は、低消費電力化を達成したＦＰＤを提供することを目的とする。
【課題を解決するための手段】
【０００７】
前述の目的は、下記に記載する発明により達成される。
【０００８】
１．照射された放射線量に応じたエネルギーを電荷量に変換して蓄積する複数の検出素子をマトリクス状に配置した撮像パネルと、
前記検出素子に対して電荷の読み出し信号を送る走査駆動回路と、
前記検出素子に蓄積された電荷を読み出して電圧値に変換する電荷電圧変換動作を行う読出回路と、
前記読出回路が前記電荷電圧変換動作を行って変換した電圧値を、デジタル変換して画像信号とするデジタル変換動作を行うＡ／Ｄ変換部と、
制御信号線を介して、前記走査駆動回路、前記Ａ／Ｄ変換部及び前記読出回路を制御する制御部と、
を有する放射線画像検出装置であって、
前記読出回路と前記制御部とを結ぶ制御信号線は、互いに逆相の信号からなる差動信号を伝達する２本の信号線からなり、
インピーダンス素子と、前記制御部が制御可能なスイッチング素子と、を直列に配してなり、前記２本の信号線の間を繋ぐインピーダンス整合手段と、
前記２本の信号線の間に所定の電位差を付与する電位差付与手段と、
を有し、
前記制御部は、
前記読出回路に対する制御が不要な場合には、前記スイッチング素子をＯＦＦにすることを特徴とする放射線画像検出装置。
【０００９】
２．前記制御部は、
前記読出回路に対する制御が不要な場合であって、前記Ａ／Ｄ変換部に対する制御を要している場合には、前記スイッチング素子をＯＦＦにし、
前記読出回路に対して制御を要している場合には、前記スイッチング素子をＯＮにすることを特徴とする前記１記載の放射線画像検出装置。
【発明の効果】
【００１０】
放射線画像検出装置において、読出回路における電荷電圧変換動作の制御が不要な場合には、ＬＶＤＳ方式における終端抵抗を開放することで、終端抵抗で発生していた不要な電力消費をなくすることができる。従って、放射線画像検出装置の低消費電力化を達成することができる。
【発明を実施するための最良の形態】
【００１１】
本発明を実施の形態に基づいて説明するが、本発明は該実施の形態に限られない。
【００１２】
本実施形態における放射線画像検出装置について図１乃至図６に基づいて説明する。図１は、本実施形態における放射線画像撮影システム１の概略構成を示す図である。
【００１３】
放射線画像撮影システム１は、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６（以下、単にＦＰＤ６と称す）により生成された放射線画像信号に画像処理を行うコンソール７とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００１４】
１００は撮影室である。撮影室１００には放射線照射装置３、撮影操作装置４、無線通信を行うアクセスポイント５、当該アクセスポイントと接続されているルータ９を備えている。
【００１５】
放射線照射装置３は、臥位撮影台１１に横たわっている被検体である患者１２に対して放射線を照射するようになっており、臥位撮影台１１の下方には、ＦＰＤ６を装着する検出装置装着口１１ａが設けられている。放射線照射装置３は、撮影操作装置４により制御されて所定の撮影条件で放射線撮影を行うようになっている。なお放射線照射装置３と検出装置装着口１１ａに装着したＦＰＤ６との撮影タイミングの同期は、両者間でアクセスポイント５を経由した無線通信により行うようにしてもよい。
【００１６】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｎ準拠の通信方式）により行う例について説明するが、これに限られず、電波（空間波）を用いるものの他に、赤外線や可視光線等（レーザ等）を用いた光無線通信（例えば、ＩｒＤＡ）、音波または超音波を用いた音響通信により無線通信するようにしてもよい。
【００１７】
なお、図１の説明においては、アクセスポイント５を経由した無線通信により通信を行う例について説明したが、これに限られず、検出装置装着口１１ａにネットワークＮと接続する通信コネクタを設け、ＦＰＤ６を当該検出装置装着口１１ａに装着することにより、ネットワークＮと有線通信するようにしてもよい。
【００１８】
［ブロック図］
次にＦＰＤ６とコンソール７の要部構成について、ブロック図である図２を用いて説明する。ＦＰＤ６は撮像部６Ａ、制御部６０、画像記憶部６６０、及び送受信部６５などからなる。撮像部６Ａは放射線画像信号を取得する機能を有す。詳しくは後述する。制御部６０は、ＦＰＤ６の各部を統括的に制御する機能を有し、制御プログラムやデータ等を記憶するＲＯＭ、制御プログラムに従って制御部６０の制御を実行するＣＰＵ、ＣＰＵがワークエリアとして利用するＲＡＭ、等から構成されている。画像記憶部６６０は、撮像部６Ａが撮像した画像信号を記憶するＲＡＭなどからなる。送受信部６５は、コンソール７等との通信を行う。
【００１９】
コンソール７はコンソール制御部７０、送受信部７５、表示部７７、入力操作部７８、画像記憶部７６０を備えて構成されている。コンソール制御部７０は、コンソールの各部を統括的に制御する機能を有し、制御プログラムやデータ等を記憶するＲＯＭ、制御プログラムに従ってコンソール制御部７０の制御を実行するＣＰＵ、ＣＰＵがワークエリアとして利用するＲＡＭ、等から構成されている。
【００２０】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、コンソール制御部７０から送られる表示信号の指示に従って、ＦＰＤ６で撮影した画像信号、撮影条件の情報、患者リスト、各種のメッセージや画像等、各種画面を表示するものである。
【００２１】
入力操作部７８は、例えば、キーボードやマウス等から構成されており、キーボードで押下操作されたキーの押下信号やマウスによる操作信号を入力信号としてコンソール制御部７０に対して出力するものである。なお、入力操作部７８は、前記表示部７７の表示画面を覆う透明なシートパネルに、指先、又は専用のスタイラスペンで触れることにより入力される位置情報を入力信号としてコンソール制御部７０に出力する、いわゆる、タッチパネルにより構成されていてもよい。そして当該入力操作部７８により撮影条件の情報の入力を行う。ここでいう撮影条件の情報とは、放射線量や放射線検出感度情報等のことである。例えば、放射線照射装置３から照射する放射線量は、撮影部位や患者の条件によって異なる。また放射線検出感度情報は撮影に用いるＦＰＤ６に対応しており、当該ＦＰＤ６に使用されている発光層６４の種類（後述のＧＯＳ、ＣＳＩ等）や検出素子６２０の性能によって異なる放射線検出感度を有することになる。
【００２２】
画像記憶部７６０は、撮像部６Ａが撮像した画像信号や、コンソール７が処理を施して得た画像信号などを記憶するＲＡＭなどからなる。送受信部７５は、ＦＰＤ６等との通信を行う。
【００２３】
［ＦＰＤ６］
ＦＰＤ６は、放射線画像信号（以下、単に画像信号という）を取得するものであり、カセッテに撮像パネルが収容されてなる可搬型のカセッテＦＰＤ装置である。
【００２４】
以下、図３乃至図５を用いて、ＦＰＤ６の構成について説明する。図３は、ＦＰＤ６の斜視図である。図４及び図５は、ＦＰＤ６の撮像部６Ａの回路構成図である。
【００２５】
図３に示すように、ＦＰＤ６は、内部を保護する筐体６１を備えており、カセッテとして運搬可能に、すなわち可搬に構成されている。筐体６１の内部には、照射された放射線を電気信号に変換する撮像パネル６２が層を成して形成されている。この撮像パネル６２における放射線の照射面側には、入射された放射線の強度に応じて発光を行う発光層６４が設けられている。また撮像パネル全体の大きさは、例えば大角、半切、六切り等の撮影サイズに対応している。
【００２６】
発光層６４は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００２７】
この発光層６４で用いられる蛍光体は、例えば、ＣａＷＯ４等を母体とするものや、ＣｓＩ：ＴｌやＧｄ２Ｏ２Ｓ：Ｔｂ、ＺｎＳ：Ａｇ等の母体内に発光中心物質が賦活されたものを用いることができる。また、希土類元素をＭとしたとき、（Ｇｄ，Ｍ，Ｅｕ）２Ｏ３の一般式で示される蛍光体を用いることができる。特に、放射線吸収及び発光効率が高いことよりセシウムアイオダイドＣｓＩ：Ｔｌ（以下、ＣＳＩと称す）、ガドリニウムオキシサルファイドＧｄ２Ｏ２Ｓ：Ｔｂ（以下、ＧＯＳと称す）、が好ましく、これらを用いることで、ノイズの低い高画質の画像を得ることができる。
【００２８】
またこれらの蛍光体の発光効率により、ＦＰＤ６へ照射された放射線量に対する放射線検出感度が異なることになる。当該放射線検出感度情報はそれぞれのＦＰＤ６に付与した識別情報により、後述のコンソール７により管理されている。
【００２９】
撮像パネル６２は、この発光層の放射線が照射される側の面と反対側の面に設けられ、発光層から出力された電磁波（光）を電気エネルギーに変換して蓄積し、蓄積された電気エネルギーに基づく画像信号の出力を行う検出素子がマトリクス状に配列されている。
【００３０】
［撮像部６Ａ］
撮像部６Ａの回路構成図である図４、に示すとおり撮像部６Ａは、撮像パネル６２、走査駆動回路６０９、読出回路６０８、制御部６０から構成されている。撮像パネル６２は光を電気信号に変換する複数の受光素子（以下検出素子と称す）６２０が２次元配置されており、１つの検出素子６２０は放射線画像の１画素に対応する。これらの画素は例えば２００〜４００ｄｐｉ（ｄｏｔｓ  ｐｅｒ  ｉｎｃｈ）の密度で、被検体の撮影領域の大きさに渡って配置されている。
【００３１】
また、検出素子６２０間には走査線（横ライン）６２３と信号線（縦ライン）６２４とが配設されており、同図では両者が直交する様に格子状に配設されている。ここで、走査線６２３と信号線６２４とで囲まれた１つの区画を１画素とすると、撮像パネル６２の画素数は、例えば、一方向にｍ個、もう一方向にｎ個配置してなる場合にはｍ×ｎ個の画素数より構成されている。そして、撮像パネル６２には、ｍ×ｎ個の画素数分に対応するフォトダイオード６２１−（１，１）〜６２１−（ｍ，ｎ）とスイッチング素子であるトランジスタ６２２−（１，１）〜６２２−（ｍ，ｎ）が配置され、画素間には、走査線６２３−１〜６２３−ｍ及び信号線６２４−１〜６２４−ｎが直交する様に配設されることになる。
【００３２】
例えば、１つ目の受光素子内では、フォトダイオード６２１−（１，１）にシリコン積層構造あるいは有機半導体で構成されたスイッチング素子であるトランジスタ６２２−（１，１）が接続する。トランジスタ６２２−（１，１）は、例えば、ＦＥＴ（Ｆｉｅｌｄ  Ｅｆｆｅｃｔ  Ｔｒａｎｓｉｓｔｏｒ）が使用される。トランジスタ６２２−（１，１）のドレイン電極あるいはソース電極が検出素子６２０−（１，１）に接続されるとともに、ゲート電極は走査線６２３−１と接続される。ドレイン電極が検出素子６２０−（１，１）と接続する場合はソース電極が信号線６２４−１と接続し、ソース電極が検出素子６２０−（１，１）に接続する場合はドレイン電極が信号線６２４−１と接続する。また、他の画素における検出素子６２０、フォトダイオード６２１及びトランジスタ６２２も同様に走査線６２３や信号線６２４と接続する。
【００３３】
また、撮像パネル６２は、図４に示すように信号線６２４−１〜６２４−ｎにドレイン電極を接続した初期化トランジスタ６３２−１〜６３２−ｎを設けるものもあり、この初期化トランジスタ６３２−１〜６３２−ｎではソース電極を接地し、ゲート電極をリセット線６３１に接続する。
【００３４】
撮像パネル６２では、これらの回路を介して放射線画像をデジタルの画像信号に変換する。すなわち、制御部６０が、走査線６２３−１〜６２３−ｍ各々に、走査駆動回路６０９を介して読出信号ＲＳを供給して画像走査を行い、走査線毎のデジタル画像信号を取り込み、放射線画像をデジタルの画像信号に変換する。このことについて、以下詳述する。
【００３５】
撮像パネル６２の走査線６２３−１〜６２３−ｍとリセット線６３１は、図４に示すように走査駆動回路６０９と接続する。走査駆動回路６０９から走査線６２３−１〜６２３−ｍのうち、任意の走査線６２３−ｐ（ｐは１〜ｍのいずれかの値）に読出信号ＲＳが供給されると、この走査線６２３−ｐに接続したトランジスタ６２２−（ｐ，１）〜６２２−（ｐ，ｎ）がオンの状態になり、フォトダイオード６２１−（ｐ，１）〜６２１−（ｐ，ｎ）に蓄積した電荷を信号線６２４−１〜６２４−ｎ上に出力する。
【００３６】
信号線６２４−１〜６２４−ｎは、読出回路６０８の信号変換器６７１−１〜６７１−ｎに接続し、信号変換器６７１−１〜６７１−ｎでは信号線６２４−１〜６２４−ｎ上に出力された電荷量に応じた電圧信号ＳＶ−１〜ＳＶ−ｎを出力し（電荷電圧変換動作とも称す）、信号変換器６７１−１〜６７１−ｎで出力した電圧信号ＳＶ−１〜ＳＶ−ｎをレジスタ６７２に供給する。
【００３７】
読出回路６０８における動作は制御部６０からの指示で行われる。信号線６２４−１〜６２４−ｎ上に出力された電荷量は非常に微弱であり、制御部６０からの制御信号を伝える制御信号線（不図示）に発生しているノイズが電圧信号ＳＶ−１〜ＳＶ−ｎに影響を与える。このノイズは後述の方法で低減する。
【００３８】
レジスタ６７２は、信号変換器６７１より供給された電圧信号を順次選択し、選択された電圧信号は、Ａ／Ｄ（アナログ／デジタル）変換器６７３により、１２ビット乃至１４ビットの１つのデジタル画像信号に変換され、このデジタル画像信号は制御部６０に供給されて、放射線画像を画素単位でデジタル画像信号に変換する。
【００３９】
なお、撮像パネル６２の初期化を行う場合は、最初に、走査駆動回路６０９からリセット信号ＲＴがリセット線６３１に供給されて初期化トランジスタ６３２−１〜６３２−ｎをオンの状態にした後、走査線６２３−１〜６２３−ｍに読出信号ＲＳを供給してトランジスタ６２２−（１，１）〜６２２−（ｍ，ｎ）をオンの状態にする。そして、フォトダイオード６２１−（１，１）〜６２１−（ｍ，ｎ）に蓄えられていた電荷を初期化トランジスタ６３２−１〜６３２−ｎを介して放出することにより撮像パネル６２の初期化を行う。以上のようにして、撮像部６Ａでは、放射線画像をデジタル画像信号に変換する。
【００４０】
［消費電力の低減方法］
制御部６０から読出回路６０８への制御信号はＬＶＤＳ方式により入力し、読出回路６０８に出力された電荷量、ひいては画像信号に重畳されるノイズを低減させる。このノイズはカップリングノイズＣＮと称され、制御信号線に制御信号が流れて発生したノイズであり、放射して画像信号に重畳する。
【００４１】
画像信号は非常に微弱なアナログ信号であるため、カップリングノイズＣＮが重畳してしまうと、画像信号の検出に無視できない程の影響を与えてしまう。そこで、カップリングノイズＣＮを低減させて画像信号のＳＮを向上させる。
【００４２】
具体的には、図４に示すように、制御部６０と読出回路６０８とを結ぶ信号線に、信号線６８１、６８２の２本の信号線を用いて互いに逆相の信号を伝達させ、信号線内部において発生するカップリングノイズＣＮを相殺させて低減させる。
【００４３】
さらに、信号線６８１、６８２の間には制御信号や画像信号に影響する反射波が発生する場合があるので、反射波の発生を防止するために読出回路６０８のなるべく近傍にインピーダンス整合手段６８を設ける。インピーダンス整合手段は、スイッチング素子６８４とインピーダンス素子である終端抵抗６８３とからなる。
【００４４】
スイッチング素子６８４は、制御部６０が制御可能とする。スイッチング素子６８４を制御部６０がＯＮにするとインピーダンス整合がとられることで、不要な反射波の発生はしない。
【００４５】
なお、反射波の発生を防止するのは、読出回路６０８が電荷電圧変換動作を実施している期間であるので、読出回路６０８が電荷電圧変換動作を実施していない期間はスイッチング素子６８４をＯＦＦにし、終端抵抗６８３で電力が消費されないようにする。
【００４６】
例えばスイッチング素子６８４をＯＮにしていた場合に、作動電流が３ｍＡ、終端抵抗６８３が１００Ωであるとすると、０．９ｍＷの電力消費が発生している。スイッチング素子６８４をＯＮにする時間を、この１割にすれば、０．８ｍＷの省電力化を達成することができる。
【００４７】
また、制御部６０がＡ／Ｄ変換器６７３を制御してデジタル変換動作をする制御を行っている期間は、画像信号への反射波の影響を考慮する必要がないことから、スイッチング素子６８４をＯＦＦにし、終端抵抗６８３に電流が導通しないようにし、終端抵抗６８３での電力消費を解消する。
【００４８】
なお、スイッチング素子６８４をＯＦＦにしている場合には、信号線６８１、６８２の間には、電位差付与手段を設ける。例えば、図４に示すように、抵抗６９１、６９２と、電源６８５を配しておき、スイッチング素子６８４をＯＦＦにした場合にも、信号線６８１、６８２の間に所定の電位差（例えば５Ｖ）を付与できるようにしておく。
【００４９】
スイッチング素子６８４の例としてはトランジスタが代表的である。中でもＦＥＴ６８６は、バイポーラトランジスタに比べて消費電力が小さい点で有利であり好ましい。バイポーラトランジスタは必ずベース電流を流さなければならないが、ＦＥＴ６８６では理論的には電圧のみで電流は必要ない。スイッチング素子６８４としてＦＥＴ６８６を採用した場合の撮像部６Ａの回路構成図の一部を図５に示す。
【００５０】
次に、制御部６０がＡ／Ｄ変換器６７３とスイッチング素子６８４とを制御する期間について図６を用いて説明する。
【００５１】
図６（ａ）は、Ａ／Ｄ変換器６７３の動作の期間を表す。ｔ１は制御部６０が、Ａ／Ｄ変換器６７３にＡ／Ｄ動作を停止させている期間、ｔ２は制御部６０が、Ａ／Ｄ変換器６７３にＡ／Ｄ動作を継続させている期間を表す。
【００５２】
制御部６０が、Ａ／Ｄ変換器６７３にＡ／Ｄ動作を継続させている間には、画像信号への反射波の影響を考慮する必要がないことからスイッチング素子６８４をＯＦＦにする。
【００５３】
一方、図６（ｂ）は、読出回路６０８が電荷電圧変換動作を実施している期間を示す。ｔ３の間は、読出回路６０８が電荷電圧変換動作を実施するので、スイッチング素子６８４（ＦＥＴ６８６）をＯＮにし、インピーダンス整合をとるようにする。また、ｔ４の間は、読出回路６０８が電荷電圧変換動作を実施しないので、スイッチング素子６８４（ＦＥＴ６８６）をＯＦＦにし、終端抵抗６８３で電力消費が発生しないようにする。
【００５４】
以上のように、ＬＶＤＳ方式において、読出回路６０８に対する制御が不要な場合には、前記スイッチング素子をＯＦＦにし、終端抵抗６８３で電力消費が発生しないようにするので、放射線画像検出装置の低消費電力化を達成することができる。
【図面の簡単な説明】
【００５５】
【図１】本実施形態における放射線画像撮影システムの概略構成を示す図である。
【図２】本実施形態におけるＦＰＤ６とコンソール７の要部構成を示すブロック図である。
【図３】本実施形態におけるＦＰＤ６の斜視図である。
【図４】本実施形態におけるＦＰＤ６の撮像部６Ａの回路構成図である。
【図５】ＦＥＴ６８６をスイッチング素子６８４に採用した場合の撮像部６Ａの回路構成図の一部を示す図である。
【図６】本実施形態における制御部６０がＡ／Ｄ変換器６７３とスイッチング素子６８４とを制御する期間について説明する図である。
【符号の説明】
【００５６】
１  放射線画像撮影システム
３  放射線照射装置
４  撮影操作装置
５  アクセスポイント
６  ＦＰＤ
７  コンソール
９  ルータ
１１  臥位撮影台
１１ａ  検出装置装着口
１２  患者
６０  制御部
６１  筐体
６２  撮像パネル
６４  発光層
６５、７５  送受信部
７０  コンソール制御部
７７  表示部
７８  入力操作部
１００  撮影室
６０８  読出回路
６０９  走査駆動回路
６２０  検出素子
６２１  フォトダイオード
６２２  トランジスタ
６２３  走査線
６２４  信号線
６３１  リセット線
６３２  初期化トランジスタ
６６０  画像記憶部
６７１  信号変換器
６７２  レジスタ
６７３  Ａ／Ｄ変換部
６８３  終端抵抗
６８４  スイッチング素子
６８５  電源
６８６  ＦＥＴ
６９１、６９２  抵抗
７６０  画像記憶部
【図１】
2010057004.tif 000003
【図２】
2010057004.tif 000004
【図３】
2010057004.tif 000005
【図４】
2010057004.tif 000006
【図５】
2010057004.tif 000007
【図６】
2010057004.tif 000008